【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
遊技場における不正行為検出方法であって、
入賞の結果払出される遊技媒体数を第１の数量データとして検知する第１の数量データ検知工程と、
遊技台から遊技台外部へ流出される遊技媒体数を第２の数量データとして検知する第２の数量データ検知工程と、
前記遊技台毎に配設される遊技媒体貸出機で貸し出される遊技媒体数を第３の数量データとして検知する第３の数量データ検知工程と、
前記遊技台毎に計数処理し累積された遊技客の保留遊技媒体数から、遊技店に登録された会員の口座への貯遊技媒体操作を伴うことなく所定の保留遊技媒体引落指示により引き落とされた保留遊技媒体数の再利用分の遊技媒体数を除いた遊技媒体数を第４の数量データとして検知する第４の数量データ検知工程と、
前記第１の数量データに基づく遊技媒体数および前記第３の数量データに基づく遊技媒体数と、前記第２の数量データに基づく遊技媒体数および前記第４の数量データに基づく遊技媒体数とから不正な遊技媒体があるかどうかを判定する不正判定処理工程と、
を備えた不正行為検出方法。
【請求項２】
遊技場における不正行為検出方法であって、
入賞の結果払出される遊技媒体数を第１の数量データとして検知する第１の数量データ検知工程と、
遊技台から遊技台外部へ流出される遊技媒体数を第２の数量データとして検知する第２の数量データ検知工程と、
遊技客が自己の口座に残っている数量内で数量または金額を指定して引き出すことにより投出された遊技媒体数を第３の数量データとして検知する第３の数量データ検知工程と、
前記遊技台毎に計数処理し累積された遊技客の保留遊技媒体数から、遊技店に登録された会員の口座への貯遊技媒体操作を伴うことなく所定の保留遊技媒体引落指示により引き落とされた保留遊技媒体数の再利用分の遊技媒体数を除いた遊技媒体数を第４の数量データとして検知する第４の数量データ検知工程と、
前記第１の数量データに基づく遊技媒体数および前記第３の数量データに基づく遊技媒体数と、前記第２の数量データに基づく遊技媒体数および前記第４の数量データに基づく遊技媒体数とから不正な遊技媒体があるかどうかを判定する不正判定処理工程と、
を備えた不正行為検出方法。
【請求項３】
遊技場における不正行為検出方法であって、
入賞の結果払出される遊技媒体数を第１の数量データとして検知する第１の数量データ検知工程と、
遊技台から遊技台外部へ流出される遊技媒体数を第２の数量データとして検知する第２の数量データ検知工程と、
遊技客が自己の口座に残っている数量内で数量または金額を指定して引き出すことにより投出された遊技媒体の数量を第３の数量データとして検知する第３の数量データ検知工程と、
前記遊技台毎に計数処理し累積された遊技客の保留遊技媒体数から、遊技店に登録された会員の口座への貯遊技媒体操作を伴うことなく所定の保留遊技媒体引落指示により引き落とされた保留遊技媒体数の再利用分の遊技媒体数を除いた遊技媒体数を第４の数量データとして検知する第４の数量データ検知工程と、
遊技媒体貸出用の記録媒体または貨幣を受け付け、該記録媒体または貨幣に基づいて遊技媒体貸出装置から貸出された遊技媒体数を第５の数量データとして検知する第５の数量データ検知工程と、
前記第１の数量データに基づく遊技媒体数、前記第３の数量データに基づく遊技媒体数および前記第５の数量データに基づく遊技媒体数と、前記第２の数量データに基づく遊技媒体数および前記第４の数量データに基づく遊技媒体数とから不正な遊技媒体があるかどうかを判定する不正判定処理工程と、
を備えた不正行為検出方法。
【請求項４】
前記不正判定処理工程は、任意の値に設定される設定値を考慮して不正な遊技媒体があるかどうかを判定することを特徴とする請求項１、２または３に記載の不正行為検出方法。
【手続補正２】
【補正対象書類名】明細書
【補正対象項目名】発明の名称
【補正方法】変更
【補正の内容】
【発明の名称】不正行為検出方法
【手続補正３】
【補正対象書類名】明細書
【補正対象項目名】０００１
【補正方法】変更
【補正の内容】
【０００１】
本発明は、パチンコ店等の遊技場において不正行為を検出する不正行為検出方法に関する。
【手続補正４】
【補正対象書類名】明細書
【補正対象項目名】０００６
【補正方法】変更
【補正の内容】
【０００６】
本発明は、上記事情に鑑みてなされたものであり、その目的は、遊技場における不正行為を速やかに検出できる不正行為検出方法を提供することにある。
【手続補正５】
【補正対象書類名】明細書
【補正対象項目名】０００８
【補正方法】変更
【補正の内容】
【０００８】
即ち、本発明によれば、遊技場における不正行為検出方法であって、入賞の結果払出される遊技媒体数を第１の数量データとして検知する第１の数量データ検知工程と、遊技台から遊技台外部へ流出される遊技媒体数を第２の数量データとして検知する第２の数量データ検知工程と、前記遊技台毎に配設される遊技媒体貸出機で貸し出される遊技媒体数を第３の数量データとして検知する第３の数量データ検知工程と、前記遊技台毎に計数処理し累積された遊技客の保留遊技媒体数から、遊技店に登録された会員の口座への貯遊技媒体操作を伴うことなく所定の保留遊技媒体引落指示により引き落とされた保留遊技媒体数の再利用分の遊技媒体数を除いた遊技媒体数を第４の数量データとして検知する第４の数量データ検知工程と、前記第１の数量データに基づく遊技媒体数および前記第３の数量データに基づく遊技媒体数と、前記第２の数量データに基づく遊技媒体数および前記第４の数量データに基づく遊技媒体数とから不正な遊技媒体があるかどうかを判定する不正判定処理工程と、を備えた不正行為検出方法が提供される。
【手続補正６】
【補正対象書類名】明細書
【補正対象項目名】０００９
【補正方法】変更
【補正の内容】
【０００９】
また、本発明によれば、遊技場における不正行為検出方法であって、入賞の結果払出される遊技媒体数を第１の数量データとして検知する第１の数量データ検知工程と、遊技台から遊技台外部へ流出される遊技媒体数を第２の数量データとして検知する第２の数量データ検知工程と、遊技客が自己の口座に残っている数量内で数量または金額を指定して引き出すことにより投出された遊技媒体数を第３の数量データとして検知する第３の数量データ検知工程と、前記遊技台毎に計数処理し累積された遊技客の保留遊技媒体数から、遊技店に登録された会員の口座への貯遊技媒体操作を伴うことなく所定の保留遊技媒体引落指示により引き落とされた保留遊技媒体数の再利用分の遊技媒体数を除いた遊技媒体数を第４の数量データとして検知する第４の数量データ検知工程と、前記第１の数量データに基づく遊技媒体数および前記第３の数量データに基づく遊技媒体数と、前記第２の数量データに基づく遊技媒体数および前記第４の数量データに基づく遊技媒体数とから不正な遊技媒体があるかどうかを判定する不正判定処理工程と、を備えた不正行為検出方法が提供される。
さらに、本発明によれば、遊技場における不正行為検出方法であって、入賞の結果払出される遊技媒体数を第１の数量データとして検知する第１の数量データ検知工程と、遊技台から遊技台外部へ流出される遊技媒体数を第２の数量データとして検知する第２の数量データ検知工程と、遊技客が自己の口座に残っている数量内で数量または金額を指定して引き出すことにより投出された遊技媒体の数量を第３の数量データとして検知する第３の数量データ検知工程と、前記遊技台毎に計数処理し累積された遊技客の保留遊技媒体数から、遊技店に登録された会員の口座への貯遊技媒体操作を伴うことなく所定の保留遊技媒体引落指示により引き落とされた保留遊技媒体数の再利用分の遊技媒体数を除いた遊技媒体数を第４の数量データとして検知する第４の数量データ検知工程と、遊技媒体貸出用の記録媒体または貨幣を受け付け、該記録媒体または貨幣に基づいて遊技媒体貸出装置から貸出された遊技媒体数を第５の数量データとして検知する第５の数量データ検知工程と、前記第１の数量データに基づく遊技媒体数、前記第３の数量データに基づく遊技媒体数および前記第５の数量データに基づく遊技媒体数と、前記第２の数量データに基づく遊技媒体数および前記第４の数量データに基づく遊技媒体数とから不正な遊技媒体があるかどうかを判定する不正判定処理工程と、を備えた不正行為検出方法が提供される。
また、本発明によれば、前記不正判定処理工程は、任意の値に設定される設定値を考慮して不正な遊技媒体があるかどうかを判定することを特徴とする不正行為検出方法が提供される。
【手続補正７】
【補正対象書類名】明細書
【補正対象項目名】００１０
【補正方法】変更
【補正の内容】
【００１０】
本発明によれば、第１の数量データに基づく遊技媒体数および第３の数量データに基づく遊技媒体数と、第２の数量データに基づく遊技媒体数および第４の数量データに基づく遊技媒体数とから不正な遊技媒体があるかどうかを判定するよう構成したので、単純な構成で各台計数機に対する不正行為を常に監視し、発生直後に不正行為を検出することができる不正行為検出装置が提供される。特に、遊技台が遊技客による遊技台間の台間移動を許容する場合および許容しない場合のいずれであっても、単純な構成で各台計数機に対する不正行為を常に監視し、発生直後に不正行為を検出することができる。